(57)【要約】【課題】マスクの使用時に呼吸の通気性が損なわれず、花粉症対策やウイルス対策のためにマスクの代わりにもなり、さらに、マスク不使用時には邪魔にならないよう収納可能な衣類のフード構造の提供。【解決手段】フード着用時に着用者の少なくとも口部を被覆可能なマスクを備え、該マスクは一体的に形成されている衣類のフード構造。【選択図】  図１
0003227484.tif 000002
【実用新案登録請求の範囲】
【請求項１】
フード着用時に着用者の少なくとも口部を被覆可能なマスクを備え、該マスクは一体的に形成されている衣類のフード構造。
【請求項２】
前記マスクは、その左右端部がフードの内側に縫着されていることを特徴とする請求項１に記載の衣類のフード構造。
【請求項３】
前記マスクは、フードに対し着脱自在に取り付けられていることを特徴とする請求項１に記載の衣類のフード構造。
【請求項４】
前記マスクは、その不使用時にはフードの内側に沿って収納可能なことを特徴とする請求項１ないし３のいずれかに記載の衣類のフード構造。    
【請求項５】
前記マスクは、その裏面にガーゼ等を収納可能なポケット部を設けたことを特徴とする請求項１ないし４のいずれかに記載の衣類のフード構造。  
【考案の詳細な説明】
【技術分野】
【０００１】
本考案は、衣類のフード構造に関し、より詳しくは、着用者の口部を覆うことが可能なマスクを備えたフード構造に関する。
【背景技術】
【０００２】
従来、衣類のフード構造で、フード着用時に着用者の口部を覆うことが可能なマスク部を備えたものが知られている（特許文献１、２）。
【０００３】
これらのものは、いずれもフード本体の左右下部より前方（着用者の顔側）に延伸する左右一対のマスク片からなり、かかる左右のマスク片を重ねて口を覆うように配置し、面ファスナー等の係合手段により互いに留めるというものであった。
【０００４】
しかしながら、これらのものの場合、ちょうど口の前で左右のマスク片の生地が重なるため、呼吸の際の通気性が損なわれ、息苦しくなるおそれがあった。
【０００５】
特に、花粉症対策やウイルス対策のために市販のマスクを着用している場合、その上からマスク片により口部を覆うと、さらに通気性が損なわれてしまうおそれがあった。
【０００６】
さらに、従来のフードの場合、フードを着用し、且つ、マスク使用しない場合にそれらのマスク片がフードの左右に垂れ下がる形となり、煩わしさを感じることがあった。
【先行技術文献】
【特許文献】
【０００７】
【特許文献１】特開２００１−２０１２６
【特許文献２】実開平２−１１８７１０
【考案の概要】
【考案が解決しようとする課題】
【０００８】
そこで本考案は、従来の衣類のフード構造のかかる欠点を克服し、マスクの使用時に呼吸の通気性が損なわれず、花粉症対策やウイルス対策のためのマスクの代わりにもなり、さらに、マスク不使用時には邪魔にならないよう収納可能な衣類のフード構造の提供を課題とするものである。
【課題を解決するための手段】
【０００９】
本考案は、上記課題を解決するものであり、フード着用時に着用者の少なくとも口部を被覆可能なマスクを備え、該マスクは一体的に形成されている衣類のフード構造である。
【００１０】
また本考案は、前記マスクは、その左右端部がフードの内側に縫着されていることを特徴とする衣類のフード構造である。
【００１１】
また本考案は、前記マスクは、フードに対し着脱自在に取り付けられていることを特徴とする衣類のフード構造である。
【００１２】
また本考案は、前記マスクは、その不使用時にはフードの内側に沿って収納可能なことを特徴とする衣類のフード構造である。
【００１３】
また本考案は、前記マスクは、その裏面にガーゼ等を収納可能なポケット部を設けたことを特徴とする衣類のフード構造である。
【考案の効果】
【００１４】
本考案にかかる衣類のフード構造は、マスクが一体的に形成されているため、生地を重ねる必要がなく、通気性が損なわれるおそれがない。
【００１５】
また、本考案にかかる衣類のフード構造のマスクは、花粉症対策やウイルス対策のためにマスクの代わりに使用することができる。
【００１６】
また、本考案にかかる衣類のフード構造のマスクは、フードの内側に沿って収納可能なため、フードの着用時であっても邪魔にならない。
【００１７】
さらに、本考案にかかる衣類のフード構造のマスクは、アイマスクとしても使用することができる。
【図面の簡単な説明】
【００１８】
【図１】本考案に係る衣類のフード着用時でマスク使用時の様子を表す斜視図。
【図２】（ａ）本考案に係る衣類のフード構造においてマスク使用時の水平断面図。（ｂ）マスク不使用時の水平断面図。
【図３】本考案に係る衣類のフード構造のマスクの背面図。
【考案を実施するための形態】
【００１９】
以下、本考案の衣類のフード構造の実施態様を、図面に基づいて具体的に説明する。なお、本考案はこれら実施態様に何ら制約されるものではない。
【００２０】
図に示すように、本考案のフード１は、上衣３と一体的に形成され、着用時には着用者の頭部を被覆し、脱いだ時には首の後部分から背中にかけて垂らされるように形成されている点において、通常の衣類のフードと異なるところはない。なお、本考案のフード１を備えた上衣３の種類は、ジャンパーやコートなど、フード１を設けることが可能なものであれば、特に限定されない。また、本実施態様では、フード１と上衣３は一体的に形成されているが、これらを個別に形成し、上衣３に対してフード１を着脱可能としてもよい。
【００２１】
本考案のフード構造は、フード１の着用時に着用者の少なくとも口部を被覆可能なマスク２を備えている。マスク２は、略矩形に形成されており、その幅及び高さにおいて、マスク使用時に着用者の少なくとも口部を被覆可能な寸法に一体的に形成されている。そして、その左右端部２１において、フード１の内側生地１２の任意の箇所に縫着されている。マスク２は、好ましくは、フード１の外側生地１１と同じ素材の生地で形成され、横方向にある程度の伸縮性を有する生地で形成されることがより好ましい。
【００２２】
マスク２は、その左右端部２１がフード１の縁部１３よりも奥側の内側生地１２に縫着されているが、マスク２のフード１への取り付け方法は縫着に限らず、例えば、面ファスナーやボタン等により、着脱自在に取り付けてもよい。
【００２３】
図２ａは、本考案のマスク２の使用時を表す水平断面図、図２ｂは、マスク２の不使用時を表す水平断面図である。図に示すように、マスク２の使用時には、マスク２は左右端部２１より中央部分が着用者の顔の前面側に来るように、フード１の開口側へと引き出されている。
【００２４】
また、マスク２の不使用時は、マスク２は着用者の後頭部側に来るように、フード１の奥側の内側生地１２に沿うようにして収納されている。さらに、マスク２の使用時において、一時的にマスク２を外したい場合には、マスク２を顎下へと引き下げれば口部が直ちに露出し、次に着用する際もマスク２を口の位置へ引き上げるだけでよい。
【００２５】
本考案のマスク２の着用に際しては、図２ａのようにマスク２をフード１の開口側へと引き出し、マスク２とフード１との間に空間を形成し、かかる空間に下部から頭を挿入し、ちょうど、上衣の襟ぐりに頭を通すようにすればよい。
【００２６】
マスク２には、その裏面２２であって、着用時に口部に当たる位置にポケット部２３を設けてもよい。かかるポケット部２３には、必要に応じて、ガーゼやティッシュ等を入れることができる。このように、ポケット部２３にガーゼ等を入れることにより、花粉症やウイルス対策用に販売されている市販のマスクの代わりとして使用することが可能となる。なお、ポケット部２３の材質は特に限定されないが、通気性を確保するためにも、メッシュ状の素材で形成することが好ましい。
【００２７】
本考案のマスク２は、本来的には着用者の口部を覆うように形成されているが、その他の使用方法としては、目隠し用のアイマスクとしても使用可能である。すなわち、図１の状態から、マスク２の位置をさらに上方へずらして目を被覆することにより、アイマスクとして機能する。これにより、例えば、仮眠するときなどにマスク２により目隠しして外光を遮断することができる。    
【産業上の利用可能性】
【００２８】
本考案の衣類のフード構造のマスクは、防寒や防風対策として使用することが出来るのみならず、花粉症やウイルス対策用マスクとしても有効である。さらには、アイマスクとしても機能する。
【符号の説明】
【００２９】
１  …  …  フード
２  …  …  マスク
３  …  …  上衣
１１  …  …  外側面
１２  …  …  内側面
１３  …  …  縁部
２１  …  …  左右端部
２２  …  …  裏面
２３  …  …  ポケット部  
【図１】
0003227484.tif 000003
【図２】
0003227484.tif 000004
【図３】
0003227484.tif 000005
【手続補正書】
【提出日】令和2年6月3日(2020.6.3)
【手続補正１】
【補正対象書類名】実用新案登録請求の範囲
【補正対象項目名】全文
【補正方法】変更
【補正の内容】
【実用新案登録請求の範囲】
【請求項１】
フード着用時に着用者の少なくとも口部を被覆可能なマスクを備えた衣類のフード構造。
【請求項２】
前記マスクは、単一の生地により一体的に形成されていることを特徴とする請求項１に記載の衣類のフード構造。  
【請求項３】
前記マスクは、その左右端部がフードの内側に縫着されていることを特徴とする請求項１または２に記載の衣類のフード構造。
【請求項４】
前記マスクは、フードに対し着脱自在に取り付けられていることを特徴とする請求項１または２に記載の衣類のフード構造。
【請求項５】
前記マスクは、その不使用時にはフードの内側に沿って収納可能なことを特徴とする請求項１ないし４のいずれかに記載の衣類のフード構造。    
【請求項６】
前記マスクは、さらにその裏面にガーゼ等を収納可能なポケット部を設けたことを特徴とする請求項１ないし５のいずれかに記載の衣類のフード構造。